(57)【要約】【課題】止水性能を低下させることなく、保管時や運搬時等に止水用の弾性ワッシャが欠落するのを防止することができるクリップを提供する。【解決手段】ワイヤハーネスＷを保持する保持部１８と、保持部と一体に設けられ、支持パネル１のクリップ係止孔１ａよりも大きい皿部１２と、皿部より一体に突出して設けられ、取付時にクリップ係止孔に挿通されるステム１４と、ステムの先端より一体フック形状に設けられ、取付時にクリップ係止孔に挿通されクリップ係止孔の周縁部に係止するフック部１５と、環状に形成され、フック部の側から皿部に密着して設けられ、取付時に支持パネルのクリップ係止孔の周囲に密着される止水用の弾性ワッシャ２４と、皿部とステムのいずれかより突出して設けられ、弾性ワッシャに設けられた凹部２４ａに係合して弾性ワッシャの回転を防止する突起部１６と、を備えている。【選択図】図１
2017089862.tif 000002
【特許請求の範囲】
【請求項１】
被固定物を保持する保持部と、
前記保持部と一体に設けられ、支持パネルに貫通して形成されたクリップ係止孔よりも大きい皿部と、
前記皿部の前記保持部と反対側の面より一体に突出して設けられ、取付時に前記クリップ係止孔に挿通されるステムと、
前記ステムの先端より一体フック形状に設けられ、取付時に前記クリップ係止孔に挿通され前記支持パネルに関し前記皿部と反対側で前記クリップ係止孔の周縁部に係止するフック部と、
環状に形成され、かつ、外周形状が前記皿部の外周形状と一致し、内周形状が前記ステムの外周に近接して取り巻く形状に形成されていて前記フック部の側から前記皿部に密着して設けられ、取付時に前記支持パネルの前記クリップ係止孔の周囲に密着される止水用の弾性ワッシャと、
前記皿部と前記ステムのいずれかより突出して設けられ、前記弾性ワッシャに設けられた凹部に係合して前記弾性ワッシャの回転を防止する突起部と、
を備えたことを特徴とするクリップ。
【請求項２】
前記突起部が、前記ステムの外周面より突出し、前記突起部の先端部が、前記弾性ワッシャの前記フック部の側の面に形成された溝状の前記凹部に嵌合することを特徴とする請求項１に記載のクリップ。
【請求項３】
前記突起部が、前記皿部の前記保持部と反対側の面より突出し、前記弾性ワッシャに貫通して形成された前記凹部に挿嵌することを特徴とする請求項１に記載のクリップ。
【請求項４】
前記突起部が、先太状のテーパ部を有していることを特徴とする請求項３に記載のクリップ。
【請求項５】
前記突起部の先端部が、前記支持パネルへの取付時に、前記支持パネルの前記弾性ワッシャが密着する側の面に形成された凹状部に係合することを特徴とする請求項３または４に記載のクリップ。
【発明の詳細な説明】
【技術分野】
【０００１】
本発明は、ワイヤハーネス等の被固定物を保持し支持パネルのクリップ係止孔に止水状態に固着されるクリップに関する。
【背景技術】
【０００２】
一般に、車両に配策されるワイヤハーネスを車両パネル（支持パネル）に保持するため、支持パネルにクリップ係止孔を開口し、このクリップ係止孔に、ワイヤハーネスを保持するクリップが固着されるが、支持パネルが車室外に面し水がかかる環境下では、クリップ係止孔に対して止水状態に固着されるクリップが必要となっている。
【０００３】
従来、クリップ係止孔に対して止水状態に固着されるクリップとして、図１２に示すように、ディスク形状のウレタン製の止水ワッシャ１０５を使用するクリップがある。
【０００４】
このクリップ１００は、樹脂製成形体と、弾性変形可能な円環状の止水ワッシャ１０５とからなり、樹脂製成形体は、ベース部１０１ａとバンド部１０１ｂとでワイヤハーネスＷに一巻きして締め付けて保持する保持部１０１と、支持パネルのクリップ係止孔の周囲に密着するフランジ部１０２と、フランジ部１０２の中央部より延びていて取付時にクリップ係止孔に挿通されるステム１０３と、ステム１０３の先端より延びていて、取付時に、クリップ係止孔に挿通され支持パネルのフランジ部１０２が密着する面と反対側の面のクリップ係止孔の周囲に密着する弾性変形可能なフック部１０４と、を有する。
【０００５】
円環状の止水ワッシャ１０５は、中心孔にフック部１０４を通しフランジ部１０２に密着され、取付時に、フランジ部１０２とフック部１０４とによるクリップ係止孔への固着により、フランジ部１０２により背面を押圧されて車両パネルのクリップ係止孔の周囲に密着し、止水するようになっている。
【０００６】
しかし、クリップ１００は、止水ワッシャ１０５が係止爪１０３ａが密着しているだけなので、クリップ１００の保管時、運搬時等に、止水ワッシャ１０５がケースの底板や他の部品に当接することにより容易に脱落してしまうという問題があり、種々の対策が取られてきた（例えば、特許文献１参照）。
【０００７】
特許文献１に開示されたクリップを図１３に示す。このクリップ１１０は、樹脂製成形体と、弾性変形可能な円環状の止水ワッシャ１１５とからなり、樹脂製成形体は、ベース部１０１ａとバンド部１０１ｂを有する保持部１１１と、フランジ部１１２と、ステム１１３と、フック部１１４と、を備えている構成については、図１２に示すクリップ１００と同様である。相違点は、フランジ部１１２に、周壁部１１２ａを有するカップ形状に形成され、周壁部１１２ａで止水ワッシャ１１５を密着して囲むようになっている。
【先行技術文献】
【特許文献】
【０００８】
【特許文献１】特開平１１−８２８１５号公報
【発明の概要】
【発明が解決しようとする課題】
【０００９】
しかしながら、特許文献１に開示のクリップにあっては、止水ワッシャの外周を周壁部で囲む構成により、保管または運搬用のケース床面と止水ワッシャとの接触面を減少することはできたものの、クリップを支持パネルに取付けたとき、止水ワッシャよりも剛性の高い周壁部が支持パネルに当接することにより、止水ワッシャを支持パネルに密着させる力が弱まるという問題があった。これを回避するために、周壁部の高さを低くすると、ケース床面と止水ワッシャとの接触面が拡大し、止水ワッシャが回転したり、めくれたりして欠落する可能性が高まるという問題があった。
【００１０】
本発明は、上述のような課題を解決するためになされたもので、止水性能を低下させることなく、保管時や運搬時等に止水用の弾性ワッシャが欠落するのを防止することができるクリップを提供することを目的とする。
【課題を解決するための手段】
【００１１】
本発明に係るクリップは、上記目的達成のため、被固定物を保持する保持部と、前記保持部と一体に設けられ、支持パネルに貫通して形成されたクリップ係止孔よりも大きい皿部と、前記皿部の前記保持部と反対側の面より一体に突出して設けられ、取付時に前記クリップ係止孔に挿通されるステムと、前記ステムの先端より一体フック形状に設けられ、取付時に前記クリップ係止孔に挿通され前記支持パネルに関し前記皿部と反対側で前記クリップ係止孔の周縁部に係止するフック部と、環状に形成され、かつ、外周形状が前記皿部の外周形状と一致し、内周形状が前記ステムの外周に近接して取り巻く形状に形成されていて前記フック部の側から前記皿部に密着して設けられ、取付時に前記支持パネルの前記クリップ係止孔の周囲に密着される止水用の弾性ワッシャと、前記皿部と前記ステムのいずれかより突出して設けられ、前記弾性ワッシャに設けられた凹部に係合して前記弾性ワッシャの回転を防止する突起部と、を備えた構成である。
【００１２】
この構成により、本発明に係るクリップでは、皿部とステムのいずれかより突出して設けられた突起部が、弾性ワッシャに設けられた凹部に係合して弾性ワッシャの回転を防止している。これにより、クリップの保管時や運搬時等にケースの底面や他の部品と擦れて弾性ワッシャが回転することにより、弾性ワッシャが欠落してしまうことを防止することができる。また、突起部が弾性ワッシャの凹部に係合することで、弾性ワッシャが持ち上がるのを押えている。これにより、弾性ワッシャがめくれてクリップから欠落することを防止している。しかも、特許文献１に記載の周壁部のような、弾性ワッシャの支持パネルへの当接力を規制する構造物もないので、止水性能を低下させることもない。
【００１３】
前記突起部が、前記ステムの外周面より突出し、前記突起部の先端部が、前記弾性ワッシャの前記フック部の側の面に形成された溝状の前記凹部に嵌合する構成としてもよい。
【００１４】
この構成により、弾性ワッシャの回転およびめくれを防止することができることに加えて、弾性ワッシャの中心孔にフック部を挿通させて弾性ワッシャをフック部の側から皿部に密着して取付ける際に、突起部をステム側に近づくように少し弾性変形させることで、弾性ワッシャの装着作業が容易になる。
【００１５】
前記突起部が、前記皿部の前記保持部と反対側の面より突出し、前記弾性ワッシャに貫通して形成された前記凹部に挿嵌する構成としてもよい。
【００１６】
この構成により、弾性ワッシャの回転およびめくれを防止することができることに加えて、弾性ワッシャをフック部の側から皿部に密着して取付ける際に、突起部の挿嵌方向と弾性ワッシャの取付け方向が一致しているので、弾性ワッシャの装着作業がより容易になる。
【００１７】
前記突起部が、先太状のテーパ部を有した構成としてもよい。
【００１８】
この構成により、皿部より突出した突起部が弾性ワッシャに設けられた凹部に挿嵌することで弾性ワッシャの回転およびめくれを防止することに加えて、突起部の先太状のテーパ部が凹部から抜け難くなる。これにより、弾性ワッシャが欠落するのをより確実に防止することができる。
【００１９】
前記突起部の先端部が、前記支持パネルへの取付時に、前記支持パネルの前記弾性ワッシャが密着する側の面に形成された凹状部に係合する構成としてもよい。
【００２０】
この構成により、突起部の先端部が支持パネルに形成された凹状部に係合するので、クリップ係止孔が円形の場合であっても、支持パネルに取付けられたクリップが回転するのを防止することができる。
【発明の効果】
【００２１】
本発明によれば、止水性能を低下させることなく、保管時や運搬時等に止水用の弾性ワッシャが欠落するのを防止することができるクリップを提供することができる。
【図面の簡単な説明】
【００２２】
【図１】本発明の第１の実施の形態に係るクリップの使用状態を示す正面図である。
【図２】図１のクリップの側面図である。
【図３】本発明の第１の実施の形態に係るクリップを示し、弾性ワッシャを装着前の正面図である。
【図４】図３のクリップの側面図である。
【図５】図５（ａ）は図４のＡ部の拡大断面図であり、図５（ｂ）は図５（ａ）のＢ―Ｂ矢視部分断面図である。
【図６】図１の部分平面図である。
【図７】本発明の第２の実施の形態に係るクリップを示し、弾性ワッシャを装着前の正面図である。
【図８】図７のクリップの側面図である。
【図９】図８のＣ―Ｃ矢視部分断面図である。
【図１０】図７の部分平面図である。
【図１１】本発明の第３の実施の形態に係るクリップが支持パネルに取付けられた状態を示す部分断面図である。
【図１２】従来のクリップの構成を示す説明図である。
【図１３】特許文献１に記載のクリップの構成を示す断面図である。
【発明を実施するための形態】
【００２３】
以下、本発明に係る実施の形態について図面を参照して説明する。
【００２４】
（第１の実施の形態）
図１ないし図４に示すように、第１の実施の形態に係るクリップ１０は、被固定物であるワイヤハーネスＷを保持する保持部１８と、保持部１８と一体に設けられ、支持パネル１に貫通して形成されたクリップ係止孔１ａよりも大きい皿部１２と、皿部１２の保持部１８と反対側の面より一体に突出して設けられ、取付時にクリップ係止孔１ａに挿通されるステム１４と、ステム１４の先端より一体フック形状に設けられ、取付時にクリップ係止孔１ａに挿通され支持パネル１に関し皿部１２と反対側でクリップ係止孔１ａの周縁部に係止するフック部１５と、環状に形成され、かつ、外周形状が皿部１２の外周形状と一致し、内周形状がステム１４の外周に近接して取り巻く形状に形成されていてフック部１５の側から皿部１２に密着して設けられ、取付時に支持パネル１のクリップ係止孔１ａの周囲に密着される止水用の弾性ワッシャ２４と、皿部１２とステム１４のいずれかより突出して設けられ、弾性ワッシャ２４に設けられた凹部２４ａに係合して弾性ワッシャ２４の回転を防止する突起部１６と、を備えている。クリップ１０は、耐久性、耐候性、耐熱性、耐寒性、適度の剛性および肉厚調整や長さ効果により適度の可撓性を有する樹脂製成形体からなり、例えば、ポリアミド、ポリエステル、ポリプロピレン、ポリエチレン等から選ばれる。
【００２５】
クリップ１０は、自動車のボディーまたはドア等のモジュールを構成する支持パネル１のクリップ係止孔１ａに係止され、他のクリップ等と協働してワイヤハーネスＷを複数箇所で部分的に拘束することで、ワイヤハーネスＷの配索経路を規制する。
【００２６】
図１および図３に示すように、保持部１８は、皿部１２の凹面の反対側の凸面中央部に位置され、バンド挿通孔２２ａを有しかつバンド挿通孔２２ａ内にバンド係止爪２２ｂを有するベース部２２と、ベース部２２の一側面より延在され、ワイヤハーネスＷを一巻きしてベース部２２に固着されるバンド部２０と、を有している。バンド部２０は、バンド挿通孔２２ａに通される長さ範囲に、バンド係止爪２２ｂに係止される係止溝２０ａを有している。これにより、保持部１８は、バンド部２０でワイヤハーネスＷを一巻き締めした状態に保持することができる。
【００２７】
皿部１２は、ステム１４側が凹状になった皿形状を有している。ワイヤハーネスＷを保持した状態でクリップ１０を車両の支持パネル１に取付る場合、皿部１２とフック部１５との間で、皿部側に弾性ワッシャ２４を介在させた状態で支持パネル１を挟持した構造となっている。すなわち、皿部１２の少なくとも周縁が、クリップ係止孔１ａを取り囲んだ状態で、弾性ワッシャ２４を支持パネル１の表面に密着させているので、クリップ係止孔１ａを通って水が浸入するの防いでいる。
【００２８】
ステム１４は、皿部１２の凹面中央部より一体に突出され、クリップ１０の支持パネル１への取付時に、支持パネル１に形成されたクリップ係止孔１ａに進入する。
【００２９】
フック部１５は、各一端部がステム１４の先端部に一体に固定され中途部が互いに離れかつステム１４から離れるように皿部１２の方向に延びていて、他端部に取付時にクリップ係止孔１ａの周縁に係合する複数の係止爪１５ａを有し、全体として碇形に形成されている。なお、フック部１５は、係止爪を３〜６個有する構成であってもよい。
【００３０】
フック部１５は、取付時に、クリップ係止孔１ａに挿通され、複数の係止爪１５ａがクリップ係止孔１ａの孔面に摺接しつつ縮径することによりクリップ係止孔１ａを通過し、通過時点で、拡径して支持パネル１の弾性ワッシャ２４が密着する面と反対側の面のクリップ係止孔１ａの周縁に係合するようになっている。
【００３１】
一対の係止爪１５ａは、支持パネル１のクリップ係止孔１ａに挿入されるとき、それらの自由端部１５ｂを互いに接近させるように一時的に弾性変形し、自由端部１５ｂがクリップ係止孔１ａを通過したときに形状復帰する。そして、その形状復帰時に、各係止爪１５ａの自由端部１５ｂが支持パネル１に密着するようになっている。
【００３２】
クリップ１０は、このようにフック部１５の各係止爪１５ａの自由端部１５ｂが支持パネル１の弾性ワッシャ２４が密着する面と反対側の面のクリップ係止孔１ａの周縁に係止したとき、フック部１５がクリップ係止孔１ａから脱出不能になるように構成されている。図１および図２に示すように、クリップ１０は、保持部１８がワイヤハーネスＷを保持し、フック部１５をクリップ係止孔１ａに係止させる。
【００３３】
突起部１６は、ステム１４の外周面より突出し、突起部１６の先端部１６ａが、弾性ワッシャ２４のフック部１５の側の面に形成された溝状の凹部２４ａに嵌合するようになっている。
【００３４】
具体的には、図５（ａ）に示すように、突起部１６は、ステム１４の外周面より同図斜め下方に突出し、その先端部１６ａが同図横方向に弾性ワッシャ２４の表面に平行に延在している。このような構成により、弾性ワッシャ２４をフック部１５の側から皿部１２に密着して取付ける際に、突起部１６がステム１４側に近づくように少し弾性変形させることで、弾性ワッシャ２４の装着作業が容易になる。弾性ワッシャ２４には、フック部１５の側の面に溝状の凹部２４ａが、弾性ワッシャ２４の中心孔２４ｂから離間する方向に形成されている。この溝状の凹部２４ａに、突起部１６の先端部１６ａが嵌るようになっている。
【００３５】
突起部１６は、ステム１４の外周面より斜め下方に突出し、先端部１６ａが弾性ワッシャ２４の表面に平行に延在している形状に限定されるものではなく、ステム１４の外周面より斜め下方に突出し、先端部が弾性ワッシャ２４の表面に対し垂直に延在している構成や、ステム１４の外周面より弾性ワッシャ２４の表面に平行な方向に突出させただけの構成としてもよい。
【００３６】
弾性ワッシャ２４側の凹部２４ａは、突起部１６の構成に応じた形状を有するように形成されている。例えば、フック部１５の側の面に、一端部が弾性ワッシャ２４の中心孔２４ｂに通じるような溝状凹部の構成や、弾性ワッシャ２４の表面に垂直な方向に形成された凹部構成としてもよい。
【００３７】
図６は、図１の部分平面図であり、第１の実施の形態に係るクリップ１０が支持パネル１に取付けられた状態を示している。図６では、参考のため、支持パネル１に取付けられたときの支持パネル１のクリップ係止孔１ａを点線で示している。図６に示すように、フック部の２つの係止爪１５ａ、１５ａと、２つの突起部１６とにより、計４か所で弾性ワッシャ２４がめくれるのを防止している。また、２つの突起部１６が弾性ワッシャ２４に形成された各凹部２４ａに嵌合しているので、弾性ワッシャ２４の回転が阻止されている。ただし、突起部１６の個数は２に限定されるものではなく、１個でも、３個以上でもよい。
【００３８】
クリップ係止孔１ａの形状としては、図６の符号１ａで示す長円形のほかに、円形、楕円形、隅丸の矩形などの形状としてもよい。弾性ワッシャ２４、ステム１４、フック部１５等は、クリップ係止孔１ａの形状に対応した立体形状に形成される必要がある。
【００３９】
第１の実施の形態に係るクリップ１０では、ステム１４より突出して設けられた突起部１６が、弾性ワッシャ２４に設けられた凹部２４ａに係合して弾性ワッシャ２４の回転を防止している。これにより、クリップ１０の保管時や運搬時等にケースの底面や他の部品と擦れて弾性ワッシャ２４が回転することで弾性ワッシャ２４が欠落するのを防止することができる。
【００４０】
また、第１の実施の形態に係るクリップ１０では、突起部１６が、弾性ワッシャ２４の回転を防止することができることに加えて、ステム１４の外周面より突出した突起部１６の先端部１６ａが弾性ワッシャ２４に設けられた凹部２４ａに係合して弾性ワッシャ２４が持ち上がるのを押えている。これにより、クリップの保管時や運搬時等にケースの底面や他の部品と擦れて弾性ワッシャがめくれることで弾性ワッシャが欠落するのを防止することができる。
【００４１】
しかも、特許文献１に記載の脱落防止用の周壁部のような、弾性ワッシャ２４の支持パネル１への当接力を規制する構造物もないので、止水性能を低下させることもない。
【００４２】
第１の実施の形態のクリップ１０の変形例として、保持部１８以外の構成部分が、ワイヤハーネスＷに取り付けられる基板に一体に設けられるタイプや、ワイヤハーネスＷに外装するプロテクタに一体に設けられるタイプ等であってもよい。すなわち、保持部１８が、バンドタイプでなく、基板やプロテクタ等であってもよい。
【００４３】
（第２の実施の形態）
次に、図７〜１０を参照して本発明の第２の実施の形態に係るクリップ４０について説明する。
クリップ４０は、突起部３６および弾性ワッシャ４４以外の構成が前述の第１の実施の形態のクリップ１０と同様な構成を有しているので、第１の実施の形態中の対応する構成要素の符号を用いて説明を省略する。
【００４４】
突起部３６は、皿部１２の保持部１８と反対側の面より突出し、弾性ワッシャ４４に貫通して形成された凹部４４ａに挿嵌する構成となっている。この突起部３６は、例えばエラストマー樹脂より構成してもよい。
【００４５】
具体的には、図９に示すように、突起部３６は、先太状のテーパ部３６ａを有している。これにより、突起部３６が弾性ワッシャ４４の凹部４４ａに挿嵌した状態で、先太部が凹部４４ａの内周面に食い込むので、突起部３６が凹部４４ａから抜け難くなり、よって弾性ワッシャ４４が欠落し難くなる。突起部３６と凹部４４ａをきつめの嵌合にすると、突起部３６が凹部４４ａからさらに抜け難くなる。また、突起部３６の先端側に先細状のテーパ部３６ｂを有している。これにより、弾性ワッシャ４４をクリップ４０の皿部１２上に装着するとき、突起部３６を弾性ワッシャ４４の凹部４４ａに挿入し易くなる。
【００４６】
図１０は、図７の部分平面図であり、第２の実施の形態に係るクリップ４０が支持パネル１に取付けられた状態を示している。図１０では、参考のため、支持パネル１に取付けられたときの支持パネル１のクリップ係止孔１ａを点線で示している。図１０に示すように、フック部の２つの係止爪１５ａ、１５ａと、２つの突起部３６とにより、計４か所で弾性ワッシャ４４がめくれるのを防止している。また、２つの突起部３６が、クリップ係止孔１ａより外側でかつ弾性ワッシャ４４の外周より内側の位置にて、弾性ワッシャ４４に貫通して形成された各凹部４４ａに挿嵌しているので、弾性ワッシャ２４の回転が阻止される。ただし、突起部３６の個数は２に限定されるものではなく、１個でも、３個以上でもよい。
【００４７】
第２の実施形態に係るクリップ４０では、皿部１２より突出した突起部３６が弾性ワッシャ４４に貫通して形成された凹部４４ａに挿嵌するので、弾性ワッシャ４４の回転およびめくれを確実に防止することができる。また、弾性ワッシャ４４をフック部１５の側から皿部１２に密着して取付ける際に、突起部３６の挿嵌方向と弾性ワッシャ４４の取付け方向が一致しているので、弾性ワッシャ４４の装着作業が容易になる。しかも、突起部３６の先太状のテーパ部３６ａにより、突起部３６が凹部４４ａから抜け難くなっている。これにより、弾性ワッシャ４４が欠落するのをより確実に防止することができる。
【００４８】
（第３の実施の形態）
次に、図１１を参照して本発明の第３の実施の形態に係るクリップ４０について説明する。
第３の実施の形態に係るクリップ４０は、支持パネル１以外の構成が前述の第２の実施の形態のクリップ４０と同様な構成を有している。よって、第２の実施の形態に関する上記説明と同様に第１の実施の形態中の対応する構成要素の符号を用いて説明を省略する。
【００４９】
図１１に示すように、突起部３６の先端部は、支持パネル１への取付時に、支持パネル１の弾性ワッシャ２４が密着する側の面に形成された凹状部１ｄに係合するようになっている。
【００５０】
第３の実施の形態に係るクリップ４０では、突起部３６は弾性ワッシャ４４に貫通して形成された凹部４４ａに挿嵌され、かつ、突起部３６の先端部が弾性ワッシャ４４から突出している。この突出した突起部３６の先端部が支持パネル１に形成された凹状部１ｄに係合するので、クリップ係止孔１ａが円形の場合であっても、支持パネル１に取付けられたクリップ４０が回転するのを防止することができる。これにより、クリップ４０に保持されたワイヤハーネスＷが回転することなく支持パネル１に固定することができる。
【００５１】
本発明は、上記の実施の形態に限定されるものではなく、特許請求の範囲の技術的範囲には、発明の要旨を逸脱しない範囲内で、種々、設計変更した形態が含まれる。
【００５２】
以上のように、本発明は、止水性能を低下させることなく、保管時や運搬時等に止水用の弾性ワッシャが欠落するのを防止することができるという効果を有し、ワイヤハーネス等の被固定物を保持し支持パネルのクリップ係止孔に止水状態に固着されるクリップ全般に有用である。
【符号の説明】
【００５３】
１  支持パネル
１ａ  クリップ係止孔
１ｄ  凹状部
１０、４０  クリップ
１２  皿部
１４  ステム
１５  フック部
１６  突起部
１６ａ  先端部
１８  保持部
２４、４４  弾性ワッシャ
２４ａ  凹部
３６  突起部
３６ａ  テーパ部
Ｗ  ワイヤハーネス（被固定物）
【図１】
2017089862.tif 000003
【図２】
2017089862.tif 000004
【図３】
2017089862.tif 000005
【図４】
2017089862.tif 000006
【図５】
2017089862.tif 000007
【図６】
2017089862.tif 000008
【図７】
2017089862.tif 000009
【図８】
2017089862.tif 000010
【図９】
2017089862.tif 000011
【図１０】
2017089862.tif 000012
【図１１】
2017089862.tif 000013
【図１２】
2017089862.tif 000014
【図１３】
2017089862.tif 000015